(57)【特許請求の範囲】
【請求項１】
固定パネル（２００）に一体に形成されるクリップボス（１１０）と；該クリップボス（１１０）に着脱可能に組み立てられるクリップ本体（１２０）と；からなるプラスチッククリップ（１００）において、
前記クリップボス（１１０）は、嵌め穴（１１２）が設けられる垂直板（１１１）の両側下部に嵌め部（１１３）が設けられ、該嵌め部（１１３）の上端前方と後方に係止突起（１１４）が設けられており；
前記クリップ本体（１２０）は、下端部に逆三角形状の投入部（１２１）が設けられ、該投入部（１２１）の上端部に係止突起（１２２）が設けられ、上端中央にクリップボス投入案内穴（１２３）が設けられ、内部上部中央に該クリップボス投入案内穴（１２３）と連結されるクリップボス投入案内部（１２４）が設けられ、該クリップボス投入案内部（１２４）の下端に弾性嵌め片（１２５）が設けられており、
前記クリップ本体（１２０）の弾性嵌め片（１２５）は、一側部位が前記クリップボス投入案内部（１２４）の一側下端部に一体に形成される固定端として構成され、他側部位が前記クリップボス投入案内部（１２４）の他側下端部下に位置される自由端として構成されており、
前記固定パネル（２００）を分離する過程で前記固定パネル（２００）のプラスチッククリップ（１００）締結部位を引っ張ったときに、垂直板（１１１）と共に引っ張られるクリップ本体（１２０）の弾性嵌め片（１２５）の自由端がクリップボス投入案内部（１２４）の他側下端部に接触するようにしたことを特徴とする、プラスチッククリップ。
【請求項２】
前記クリップ本体（１２０）は、前記投入部（１２１）の内部両側にクリップボス支持突出部（１２６）が設けられ、前記弾性嵌め片（１２５）が一体に形成される前記クリップボス投入案内部（１２４）の一側下端部と一側の前記クリップボス支持突出部（１２６）との間に連結片（１２７）が設けられたことを特徴とする、請求項１に記載のプラスチッククリップ。
【発明の詳細な説明】
【技術分野】
【０００１】
本発明は、プラスチッククリップに関し、より詳細には、固定パネルに一体に形成されるクリップボスにクリップ本体を結合したものに関する。
【背景技術】
【０００２】
一般に、自動車内部の計器盤（ＦＡＣＩＡ）を始めとする各種内装材は、固定パネルに結合パネルを組み立てる形態で構成されており、このように固定パネルに結合パネルを組み立てるときは、固定パネルに一体に形成されるクリップボスと、クリップボスに着脱可能に組み立てられるクリップ本体とからなるプラスチッククリップを使用する例が多い。
【０００３】
ところが、従来において、前記固定パネルに一体に形成されたクリップボスと、クリップボスに着脱可能に組み立てられるクリップ本体とからなるプラスチッククリップにおいては、クリップ本体をクリップボスに組み立てたり分解することが非常に難しくなり、その結果、組み立て時間が多く要されるだけでなく、組み立て不良が多くなり、生産性の低下及び原価上昇を誘発するという問題があり、また、結合パネルに対する故障修理が難しくなるなどの問題があった。
【０００４】
また、従来の構造においては、クリップボスとクリップ本体との組み立て状態が不安定であり、使用過程で外部衝撃によるクリップ本体の流動及び騷音が発生するという問題があった。
【発明の概要】
【発明が解決しようとする課題】
【０００５】
本発明は、前記のような従来の実情を勘案してなされたもので、その目的は、固定パネルに一体に形成されるクリップボスにクリップ本体を堅固に結合することによって、外部衝撃による流動及び騷音を防止できるプラスチッククリップを提供することにある。
【課題を解決するための手段】
【０００６】
前記の目的を達成するための本発明のプラスチッククリップは、固定パネルに一体に形成されるクリップボスと；該クリップボスに着脱可能に組み立てられるクリップ本体と；からなる。
【０００７】
本発明のプラスチッククリップにおいて、前記クリップボスは、嵌め穴が設けられる垂直板の両側下部に嵌め部が設けられ、嵌め部の上端前方と後方に係止突起が設けられる形態で構成されており；前記クリップ本体は、下端部に逆三角形状の投入部が設けられ、投入部の上端部に係止突起が設けられ、上端中央にクリップボス投入案内穴が設けられ、内部上部中央に前記クリップボス投入案内穴と連結されるクリップボス投入案内部が設けられ、クリップボス投入案内部の下端に弾性嵌め片が設けられる形態で構成される。
【０００８】
併せて、本発明のプラスチッククリップにおいて、前記クリップ本体の弾性嵌め片は、一側部位がクリップボス投入案内部の一側下端部に一体に形成される固定端として構成され、他側部位がクリップボス投入案内部の他側下部を密閉する自由端として構成される。
【０００９】
本発明のプラスチッククリップにおいて、前記クリップ本体は、投入部の内部両側にクリップボス支持突出部が設けられ、弾性嵌め片が一体に形成されるクリップボス投入案内部の一側下端部と一側のクリップボス支持突出部との間に連結片が設けられる形態で構成することができる。
【発明の効果】
【００１０】
本発明のプラスチッククリップは、固定パネルに一体に形成されるクリップボスにクリップ本体を簡便かつ堅固に組み立てることによって、クリップ本体の組み立て性を改善できることはもちろん、使用過程で外部衝撃によるクリップ本体の流動や騷音を著しく低減でき、固定パネルを結合パネルに組み立てたり分解する過程でクリップ本体の破損を防止できるので、その結果、プラスチッククリップの耐久性及び商品性を大きく向上できるという効果を得ることができる。
【図面の簡単な説明】
【００１１】
【図１】本発明の一実施例に係るプラスチッククリップの分解斜視図である。
【図２】本発明の一実施例に係るプラスチッククリップに結合パネルを結合する前の状態を示す斜視図である。
【図３】本発明の一実施例に係るプラスチッククリップに結合パネルを結合した後の状態を示す斜視図である。
【図４】本発明の一実施例に係るプラスチッククリップに結合パネルを結合した後の状態を示す縦断面図である。
【図５】図４の要部拡大図である。
【図６】図６ａないし図６ｄは本発明の一実施例に係るプラスチッククリップにおいてクリップボスにクリップ本体を結合するクリップ本体結合過程を示した図である。
【発明を実施するための形態】
【００１２】
以下、前記の目的を達成するための本発明の具体的な記述内容を添付の図面に基づいて詳細に説明する。
【００１３】
図１は、本発明の一実施例に係るプラスチッククリップの分解斜視図で、図２は、本発明の一実施例に係るプラスチッククリップに結合パネルを結合する前の状態を示す斜視図で、図３は、本発明の一実施例に係るプラスチッククリップに結合パネルを結合した後の状態を示す斜視図である。
【００１４】
そして、図４は、本発明の一実施例に係るプラスチッククリップに結合パネルを結合した後の状態を示す縦断面図で、図５は、図４の要部拡大図である。
【００１５】
図１ないし図５に示したように、本発明のプラスチッククリップ１００は、固定パネル２００に一体に形成されるクリップボス１１０と；該クリップボス１１０に着脱可能に組み立てられるクリップ本体１２０と；からなる。
【００１６】
本発明のクリップ１００において、クリップボス１１０は、嵌め穴１１２が設けられる垂直板１１１の両側下部に嵌め部１１３が設けられ、嵌め部１１３の上端前方と後方に係止突起１１４が設けられ、垂直板１１１の前面と後面にそれぞれ支持リブ１１５が設けられる。
【００１７】
そして、クリップ本体１２０は、下端部に逆三角形状の投入部１２１が設けられ、投入部１２１の上端部に係止突起１２２が設けられ、上端中央にクリップボス投入案内穴１２３が設けられ、内部上部中央に前記クリップボス投入案内穴１２３と連結されるクリップボス投入案内部１２４が設けられ、クリップボス投入案内部１２４の下端に弾性嵌め片１２５が設けられる。
【００１８】
前記クリップ本体１２０の弾性嵌め片１２５は、一側部位がクリップボス投入案内部１２４の一側下端部に一体に形成される固定端として構成され、他側部位がクリップボス投入案内部１２４の他側下部を密閉する自由端として構成され、自由端側の下端に係止突起１２５ａが設けられる。
【００１９】
一方、図示した実施例において、前記クリップ本体１２０は、投入部１２１の内部両側にクリップボス支持突出部１２６が設けられ、弾性嵌め片１２５が一体に形成されるクリップボス投入案内部１２４の一側下端部と一側のクリップボス支持突出部１２６との間に連結片１２７が設けられる。
【００２０】
図６ａないし図６ｄは、本発明の一実施例に係るプラスチッククリップにおいてクリップボスにクリップ本体を結合するクリップ本体結合過程を示した図である。
【００２１】
本発明のクリップ１００において、固定パネル２００に一体に形成されるクリップボス１１０にクリップ本体１２０を結合するときは、図６ａに示すように、まず、クリップ本体１２０のクリップボス投入案内穴１２３を介してクリップボス投入案内部１２４にクリップボス１１０の垂直板１１１を挿入した後、垂直板１１１の下端が弾性嵌め片１２５に当接したら、垂直板１１１を弾性嵌め片１２５の自由端側に一定の角度だけ（例えば、１５°）傾けて継続して垂直板１１１を挿入する。
【００２２】
図６ｂに示すように、弾性嵌め片１２５の外側を通過した垂直板１１１の下端がクリップ本体１２０のクリップボス支持突出部１２６に当接したら、垂直板１１１を反対方向に傾けて継続して垂直板１１１を挿入し、図６ｃに示すように、垂直板１１１の下端がクリップ本体１２０の内部下端に当接すると同時に、弾性嵌め片１２５の先端部が嵌め穴１１２に挿入されたら、垂直板１１１を垂直に立たせる。
【００２３】
図６ｄに示すように、垂直板１１１が垂直に立てられると、弾性嵌め片１２５が嵌め穴１１２を完全に貫通し、クリップ本体１２０の投入部１２１の内部両側に設けられたクリップボス支持突出部１２６が垂直板１１１を両方に押して支持するようになり、弾性嵌め片１２５の自由端側下端に設けられた係止突起１２５ａが嵌め穴１１２に係止されることによって、垂直板１１１が左右方向に流動したとしても弾性嵌め片１２５から分離されなくなる。
【００２４】
したがって、本発明のプラスチッククリップ１００によると、使用過程で外部衝撃によるクリップ本体１２０の流動や騒音がなくなる。
【００２５】
一方、前記のように、固定パネル２００に一体に形成されたクリップボス１１０にクリップ本体１２０を結合した後、クリップ本体１２０の投入部１２１を結合パネル３００に形成された結合穴３１０に挿入すると、クリップ本体１２０の投入部１２１が内側に狭められて結合穴３１０を通過した後、再び元の状態に復帰するようになり、その結果、図４及び図５に示すように、クリップボス１１０の嵌め部１１３の上端に設けられた係止突起１１４が結合パネル３００の上端に係止され、クリップ本体１２０の投入部１２１の上端に設けられた係止突起１２２が結合穴３１０の下端に係止されることによって、固定パネル２００と結合パネル３００との組み立てが可能になる。
【００２６】
そして、結合パネル３００から固定パネル２００を分離するときは、固定パネル２００のプラスチッククリップ１００締結部位を結合パネル３００の反対側に引っ張ると、クリップ本体１２０の投入部１２１が内側に狭められながら結合穴３１０を通過できるので、固定パネル２００を結合パネル３００から離脱できるようになる。
【００２７】
一方、前記固定パネル２００を結合パネル３００から分離する過程で固定パネル２００のプラスチッククリップ１００締結部位を引っ張ると、まず、固定パネル２００と一体に形成されるクリップボス１１０の垂直板１１１が引っ張られ、その結果、垂直板１１１の嵌め穴１１２に挿入されているクリップ本体１２０の弾性嵌め片１２５が引っ張られることによってクリップ本体１２０が引っ張られるが、このとき、垂直板１１１と共に引っ張られるクリップ本体１２０の弾性嵌め片１２５の自由端はクリップボス投入案内部１２４の一側下端に接触するので、多少無理な力で固定パネル２００を引っ張ったとしても弾性嵌め片１２５の破損を防止できることはもちろん、クリップ本体１２０全体に安定的に引っ張り力を伝達できるようになる。
【００２８】
以上説明した本発明は、上述した実施例及び図面によって限定されるものではなく、本発明の技術的思想を逸脱しない範囲内で多様な置換、変形及び変更が可能であることは、本発明の属する技術分野で通常の知識を有する者にとって明白であろう。
【図１】
0005941071.tif 000002
【図２】
0005941071.tif 000003
【図３】
0005941071.tif 000004
【図４】
0005941071.tif 000005
【図５】
0005941071.tif 000006
【図６ａ】
0005941071.tif 000007
【図６ｂ】
0005941071.tif 000008
【図６ｃ】
0005941071.tif 000009
【図６ｄ】
0005941071.tif 000010